(57)【要約】  【目的】  音楽に調和したスライドショーを行う。  【構成】  音楽ＣＤ19からＴＯＣ情報が読み取られ，ルール・サーバ１に送信される。ルール・サーバ１においてＴＯＣ情報に対応したスライドショー・ルールがデータベース２から読み取られ，クライアント・コンピュータ１に送信される。音楽ＣＤ19に記録されている音楽が再生されつつ，スライドショー・ルールにしたがってスライドショーが実行される。実行されたスライドショーは，音楽に調和したものとなる。  【選択図】  図１
2006277852.tif 000002
【特許請求の範囲】
【請求項１】
互いに通信可能な音楽再生装置とルール・サーバとを備えたスライドショー・システムにおいて，
上記音楽再生装置が，
記録媒体に記録されている音楽データを読み取る音楽データ読み取り手段，
上記記録媒体に記録されている固有の情報を読み取る固有情報読み取り手段，および
上記固有情報読み取り手段によって読み取られた固有情報を上記ルール・サーバに送信する固有情報送信手段を備え，
上記ルール・サーバが，
多数のスライドショー・ルールを記憶するスライドショー・ルール記憶手段，
上記スライドショー・ルール記憶手段に記憶されている多数のスライドショー・ルールの中から上記音楽再生装置の上記固有情報送信手段から送信された固有情報にもとづいてスライドショー・ルールを見つけるスライドショー・ルール検索手段，および
上記スライドショー・ルール検索手段によって見つけられたスライドショー・ルールを上記音楽再生装置に送信するスライドショー・ルール送信手段を備え，
上記音楽再生装置が，
上記音楽再生装置の上記音楽データ読み取り手段によって読み取られた音楽データを再生して音楽を出力する音楽再生装置，および
上記音楽再生装置からの音楽出力に応じてスライドショーするものであり，かつ上記ルール・サーバの上記スライドショー・ルール送信手段から送信されたスライドショー・ルールにしたがって画像をスライドショーする表示装置，
をさらに備えたスライドショー・システム。
【請求項２】
ルール・サーバと通信可能な音楽再生装置において，
記録媒体に記録されている音楽データを読み取る音楽データ読み取り手段，
上記音楽データ読み取り手段によって読み取られた音楽データを再生して音楽を出力する音楽再生装置，
上記記録媒体に記録されている固有の情報を読み取る固有情報読み取り手段，
上記固有情報読み取り手段によって読み取られた固有情報を上記ルール・サーバに送信する固有情報送信手段，および
上記音楽再生装置からの音楽出力に応じてスライドショーするものであり，上記ルール・サーバから送信されたスライドショー・ルールであり，かつ上記固有情報送信手段から送信された固有情報にもとづいて見つけられたスライドショー・ルールにしたがって画像をスライドショーする表示装置，
を備えた音楽再生装置。
【請求項３】
音楽再生装置と通信可能なルール・サーバにおいて，
多数のスライドショー・ルールを記憶するスライドショー・ルール記憶手段，
上記スライドショー・ルール記憶手段に記憶されている多数のスライドショー・ルールの中から上記音楽再生装置から送信された記録媒体の固有情報にもとづいてスライドショー・ルールを見つけるスライドショー・ルール検索手段，および
上記スライドショー・ルール検索手段によって見つけられたスライドショー・ルールを上記音楽再生装置に送信するスライドショー・ルール送信手段，
を備えたルール・サーバ。
【請求項４】
ルール・サーバと通信可能な音楽再生装置の制御方法において，
記録媒体に記録されている音楽データを読み取り，
読み取られた音楽データを再生して音楽を出力し，
上記記録媒体に記録されている固有の情報を読み取り，
読み取られた固有情報を上記ルール・サーバに送信し，
上記音楽再生装置からの音楽出力に応じてスライドショーするものであり，上記ルール・サーバから送信されたスライドショー・ルールであり，かつ上記ルール・サーバに送信された固有情報にもとづいて見つけられたスライドショー・ルールにしたがって画像をスライドショーする，
音楽再生装置の制御方法。
【請求項５】
音楽再生装置と通信可能なルール・サーバの制御方法において，
多数のスライドショー・ルールをスライドショー・ルール記憶手段に記憶しておき，
上記スライドショー・ルール記憶手段に記憶されている多数のスライドショー・ルールの中から上記音楽再生装置から送信された記録媒体の固有情報にもとづいてスライドショー・ルールを見つけ，
見つけられたスライドショー・ルールを上記音楽再生装置に送信する，
ルール・サーバの制御方法。
【請求項６】
ルール・サーバと通信可能な音楽再生装置を制御するプログラムであって，
記録媒体に記録されている音楽データを読み取らせ，
読み取られた音楽データを再生して音楽を出力させ，
上記記録媒体に記録されている固有の情報を読み取らせ，
読み取られた固有情報を上記ルール・サーバに送信させ，
上記音楽再生装置からの音楽出力に応じてスライドショーするものであり，上記ルール・サーバから送信されたスライドショー・ルールであり，かつ上記ルール・サーバに送信された固有情報にもとづいて見つけられたスライドショー・ルールにしたがって画像をスライドショーさせるように音楽再生装置を制御するプログラム。
【発明の詳細な説明】
【技術分野】
【０００１】
この発明は，スライドショー・システム，ルール・サーバおよび音楽再生装置ならびにそれらの制御方法，および音楽再生装置を制御するプログラムに関する。
【背景技術】
【０００２】
パーソナル・コンピュータなどにおいては，複数駒の画像を順番に表示するスライドショーができることがある。通常のスライドショーは，一定時間ごとに画像が切り替わるものにすぎない。
【０００３】
また，パーソナル・コンピュータにおいては，ＣＤ（コンパクト・ディスク）に記録されている音楽データを再生できることから，音楽を再生しながら映像を表示するものかある（特許文献１）。
【特許文献１】特開2003-281862号公報
【０００４】
また，ＣＤのＴＯＣ（Table of Contents）情報を読み取り，読み取られたＴＯＣ情報から曲名，アーティスト名，ジャンル等を参照して，再生時に利用するものもある（特許文献２）。
【特許文献２】特開2001-283568号公報
【０００５】
いずれにしても，再生されている音楽に調和してスライドショーすることは考えられていない。
【発明の開示】
【０００６】
この発明は，再生されている音楽に調和してスライドショーすることを目的とする。
【０００７】
第１の発明は，互いに通信可能な音楽再生装置とルール・サーバとを備えたスライドショー・システムについてのものである。
【０００８】
上記音楽再生装置は，記録媒体に記録されている音楽データを読み取る音楽データ読み取り手段，上記記録媒体に記録されている固有の情報を読み取る固有情報読み取り手段，および上記固有情報読み取り手段によって読み取られた固有情報を上記ルール・サーバに送信する固有情報送信手段を備えている。
【０００９】
また，上記ルール・サーバは，多数のスライドショー・ルールを記憶するスライドショー・ルール記憶手段，上記スライドショー・ルール記憶手段に記憶されている多数のスライドショー・ルールの中から上記音楽再生装置の上記固有情報送信手段から送信された固有情報にもとづいてスライドショー・ルールを見つけるスライドショー・ルール検索手段，および上記スライドショー・ルール検索手段によって見つけられたスライドショー・ルールを上記音楽再生装置に送信するスライドショー・ルール送信手段を備えている。
【００１０】
さらに，上記音楽再生装置は，上記音楽再生装置の上記音楽データ読み取り手段によって読み取られた音楽データを再生して音楽を出力する音楽再生装置，および上記音楽再生装置からの音楽出力に応じてスライドショーするものであり，かつ上記ルール・サーバの上記スライドショー・ルール送信手段から送信されたスライドショー・ルールにしたがって画像をスライドショーする表示装置をさらに備えている。
【００１１】
第２の発明は，上記スライドショー・システムを構成する音楽再生装置についてのものである。第２の発明は，ルール・サーバと通信可能な音楽再生装置において，記録媒体に記録されている音楽データを読み取る音楽データ読み取り手段，上記音楽データ読み取り手段によって読み取られた音楽データを再生して音楽を出力する音楽再生装置，上記記録媒体に記録されている固有の情報を読み取る固有情報読み取り手段，上記固有情報読み取り手段によって読み取られた固有情報を上記ルール・サーバに送信する固有情報送信手段，および上記音楽再生装置からの音楽出力に応じてスライドショーするものであり，上記ルール・サーバから送信されたスライドショー・ルールであり，かつ上記固有情報送信手段から送信された固有情報にもとづいて見つけられたスライドショー・ルールにしたがって画像をスライドショーする表示装置を備えている。
【００１２】
第２の発明は，上記音楽再生装置に適した制御方法も提供している。すなわち，この方法は，ルール・サーバと通信可能な音楽再生装置の制御方法において，記録媒体に記録されている音楽データを読み取り，読み取られた音楽データを再生して音楽を出力し，上記記録媒体に記録されている固有の情報を読み取り，読み取られた固有情報を上記ルール・サーバに送信し，上記音楽再生装置からの音楽出力に応じてスライドショーするものであり，上記ルール・サーバから送信されたスライドショー・ルールであり，かつ上記ルール・サーバに送信された固有情報にもとづいて見つけられたスライドショー・ルールにしたがって画像をスライドショーするものである。
【００１３】
第２の発明は，上記音楽再生装置を制御するプログラムも提供している。
【００１４】
第３の発明は，上記スライドショー・システムを構成するルール・サーバについてのものである。第３の発明は，音楽再生装置と通信可能なルール・サーバにおいて，多数のスライドショー・ルールを記憶するスライドショー・ルール記憶手段，上記スライドショー・ルール記憶手段に記憶されている多数のスライドショー・ルールの中から上記音楽再生装置から送信された記録媒体の固有情報にもとづいてスライドショー・ルールを見つけるスライドショー・ルール検索手段，および上記スライドショー・ルール検索手段によって見つけられたスライドショー・ルールを上記音楽再生装置に送信するスライドショー・ルール送信手段を備えている。
【００１５】
第３の発明は，上記ルール・サーバに適した制御方法も提供している。すなわち，この方法は，音楽再生装置と通信可能なルール・サーバの制御方法において，多数のスライドショー・ルールをスライドショー・ルール記憶手段に記憶しておき，上記スライドショー・ルール記憶手段に記憶されている多数のスライドショー・ルールの中から上記音楽再生装置から送信された記録媒体の固有情報にもとづいてスライドショー・ルールを見つけ，見つけられたスライドショー・ルールを上記音楽再生装置に送信するものである。
【００１６】
この発明によると，ルール・サーバには，多数のスライドショー・ルールが記憶されている。音楽再生装置において，記録媒体に記録されている固有情報が読み取られると，その読み取られた固有情報が音楽再生装置からルール・サーバに送信される。ルール・サーバにおいて固有情報が受信されると，その受信された固有情報にもとづいてスライドショー・ルールが見つけられる。見つけられたスライドショー・ルールがルール・サーバから音楽再生装置に送信される。音楽再生装置において，記録媒体から読み取られた音楽データが再生され，音楽が出力される。この音楽出力に応じて，ルール・サーバから送信されたスライドショー・ルールにしたがって画像がスライドショーされる。
【００１７】
音楽再生装置から出力される音楽に合ったスライドショー・ルールを見つけることができ，その音楽に調和したスライドショーを実現できるようになる。
【実施例】
【００１８】
図１は，この発明の実施例を示すもので，スライドショー・システムの電気的構成を示すブロック図である。
【００１９】
スライドショー・システムには，互いに通信可能なルール・サーバ１とクライアント・コンピュータ（音楽再生装置）10とが含まれている。
【００２０】
この実施例によるスライドショー・システムにおいては，クライアント・コンピュータ１において，音楽用ＣＤ19に記録されている音楽データが読み取られ，音楽が再生される。この音楽の再生に合わせて，音楽にあったスライドショーが行われる。
【００２１】
ルール・サーバ１には，スライドショー・ルール・データベース２が含まれている。このスライドショー・ルール・データベース２には，クライアント・コンピュータ10において行われるスライドショーのルールが音楽ＣＤ19に記録されているＴＯＣ情報（固有情報）に対応して多数記憶されている。
【００２２】
図２は，スライドショー・ルール・データベース２に格納されているＴＯＣ情報とスライドショー・ルールとの一例である。
【００２３】
上述のように，スライドショー・ルール・データベース２には，ＴＯＣ情報に対応して多数のスライドショー・ルールが記憶されている。これらのスライドショー・ルールは，ＴＯＣ情報によって特定される音楽ＣＤに記録されている音楽に適したスライドショーが行われるルールが記述されているものである。たとえば，ＴＯＣ情報によって特定される音楽ＣＤに記録されている音楽データがゆったりとした音楽であれば，ゆっくりとしたスライドショーが行われるようなスライドショー・ルールが規定されている。また，ＴＯＣ情報によって特定される音楽ＣＤに記録されている音楽データがテンポの速い音楽であれば，画像の移動，切り換えなどがそのテンポにあって変化するようなスライドショー・ルールが規定されている。
【００２４】
また，ＴＯＣ情報には，音楽ＣＤに記録されている音楽の曲数，演奏時間などが含まれているが，ここでは，わかりやすくするために単に音楽ＣＤを特定できる情報として扱っている。もちろん，ＴＯＣ情報内にアーティスト名，曲名などが記録されている場合には，それらのアーティスト名，曲名などに対応してスライドショー・ルールが格納されていてもよい。アーティスト，曲目に対応してスライドショーを行うことができる。曲に応じたスライドショーを行う場合には，たとえば，曲のイントロ部分，いわゆるＡメロディーの部分，いわゆるＢメロディーの部分，サビの部分とにわけてサビの部分が一番盛り上がるような感じを与えるようなスライドショーを行わせることもできる。
【００２５】
図１に戻って，ルール・サーバ１には，クライアント・コンピュータ10と通信するための通信回路４が含まれている。クライアント・コンピュータ10から送信されたＴＯＣ情報が通信回路４によって受信され，制御装置３によって，受信されたＴＯＣ情報に対応するスライドショー・ルールがスライドショー・ルール・データベース２から読み取られることとなる。読み取られたスライドショー・ルールがルール・サーバ１からクライアント・コンピュータ10に送信される。
【００２６】
クライアント・コンピュータ10の全体の動作は，制御装置12によって統括される。
【００２７】
制御装置12には，スライドショーをするための表示装置15，音楽ＣＤ19および後述する動作プログラムが格納されているプログラムＣＤ18に記録されているデータを読み取るためのＣＤドライブ16および操作装置17が接続されている。
【００２８】
クライアント・コンピュータ10には，ハードディスク14およびこのハードディスク14にデータを書き込むおよびハードディスク14からデータを読み取るためのハードディスク・ドライブ13が含まれている。ＣＤドライブ16によって読み取られたデータは，ハードディスク・ドライブ13によってハードディスク14に書き込まれる。また，ハードディスク14には，スライドショーで表示される画像を表す画像データも記録されている。さらに，ハードディスク14には，ルール・サーバ１から送信されたスライドショー・ルールも記録される。
【００２９】
また，クライアント・コンピュータ10には，音楽ＣＤ19から読み取られた音楽データを音楽として出力するためのスピーカ20も設けられている。さらに，クライアント・コンピュータ10には，ルール・サーバ１と通信するための通信回路11も含まれている。
【００３０】
図３は，クライアント・コンピュータ10においてスライドショー・ルールを取得する処理手順を示すフローチャートである。
【００３１】
まず，クライアント・コンピュータ10が起動させられ（ステップ31），ＣＤドライブ16に音楽ＣＤ19が装填されたかどうかが確認される（ステップ32）。音楽ＣＤ19が装填されると（ステップ32でＹＥＳ），音楽ＣＤ19に記録されているＴＯＣ情報が読み取られる（ステップ33）。このＴＯＣ情報は，音楽ＣＤ19に固有のものである。読み取られたＴＯＣ情報がクライアント・コンピュータ10からルール・サーバ１に送信される（ステップ34）。
【００３２】
クライアント・コンピュータ10から送信されたＴＯＣ情報がルール・サーバ１において受信されると（ステップ21），上述したようにスライドショー・ルール・データベース２が検索され，受信したＴＯＣ情報に対応するスライドショー・ルールがスライドショー・ルール・データベース２から見つけられる（ステップ22）。見つけられたスライドショー・ルールがルール・サーバ１からクライアント・コンピュータ10に送信される（ステップ23）。
【００３３】
ルール・サーバ１から送信されたスライドショー・ルールがクライアント・コンピュータ10において受信されると（ステップ35），その受信されたスライドショー・ルールがハードディスク14に記録される（ステップ36）。
【００３４】
このようにして，クライアント・コンピュータ10に装填された音楽ＣＤ19に記録されている音楽に適したスライドショーを行うためのルールが得られる。
【００３５】
図４は，クライアント・コンピュータ10においてスライドショーを実行する処理手順を示すフローチャートである。
【００３６】
クライアント・コンピュータ10には，音楽ＣＤ19が装填されているものとする。
【００３７】
クライアント・コンピュータ10が起動させられ（ステップ41），ハーディスク14に記録されている画像データの中からスライドショーに利用される画像が選択される（ステップ42）。もっとも，スライドショーに利用される画像があらかじめ定められていれば画像を選択する必要はないのはいうまでもない。つづいて，音楽ＣＤ19から再生すべき音楽が選択される（ステップ43）。ハーディスク19に記録されているスライドショー・ルールが読み取られて（ステップ44），音楽が再生されながら，その音楽に調和したスライドショーが実行される（ステップ45）。
【００３８】
曲目ごとにスライドショー・ルールがクライアント・コンピュータ10に送信されるようにして，ユーザによって選択された曲目に対応したスライドショー・ルールにしたがったスライドショーが行われるようにしてもよいのはいうまでもない。
【００３９】
図５は，スライドショー・ルールの一例である。
【００４０】
第１行目は，スライドショー・ルールの記述言語のバージョン等が記述されている。
【００４１】
第２行から第６行は，時刻ｔ＝０から３秒間にわたって，ファイル名0001.jpgの画像がフェードインして表示されることを示している。
【００４２】
第７行から第９行は，時刻ｔ＝４から５秒間にわたって座標（ｘ，ｙ）＝（100，100）に星の印が光って表示（スパークリング表示）されることを示している。
【００４３】
第10行から第14行は，時刻ｔ＝10から３秒間にわたって，ファイル名0003.jpgの画像がスパイラルイン表示されることを示している。
【００４４】
図６（Ａ）〜（Ｅ）は，図５に示すスライドショー・ルールにしたがって行われるスライドショーの様子を示している。
【００４５】
（Ａ）および（Ｂ）を参照して，上述したように，時刻ｔ＝０から３秒間にわたって，ファイル名0001.jpgの画像Ｉ１が表示装置15の表示画面50に徐々に現れ始める（フェードイン表示）。ぼけた画像から鮮やかな画像となる。
【００４６】
（Ｃ）を参照して，上述したように，時刻ｔ＝４から５秒間にわたって，座標（ｘ，ｙ）＝（100，100）の位置に星の印Ｉ２が光って表示される。
【００４７】
（Ｄ）および（Ｅ）を参照して，上述したように，時刻ｔ＝10から３秒間にわたって，ファイル名0003.jpgの画像Ｉ３が螺旋状に回転しながら，かつ徐々に大きくなるようにスパイラルイン表示される。（Ｄ）および（Ｅ）においては画像Ｉ３が螺旋状に回転することを示すために螺旋51が表されているが表示されなくてもよいのは言うまでもない。
【００４８】
このようなスライドショーは，クライアント・コンピュータ10において行われる音楽再生とともに行われる。再生されている音楽に調和したスライドショーが実行されることとなる。
【００４９】
上述した実施例においては，音楽データは，装填されている音楽ＣＤ19から読み取りながらスライドショーが行われているが音楽データをハードディスク14に記録してハードディスク14から読み取りながら音楽を再生してもよい。また，クライアント・コンピュータ10からルール・サーバ１に送信されたＴＯＣ情報では，一つのスライドショー・ルールに決定できない場合には，複数のスライドショー・ルールをルール・サーバ１からクライアント・コンピュータ10に送信して，クライアント・コンピュータ10のユーザによって選択させるようにしてもよい。
【図面の簡単な説明】
【００５０】
【図１】スライドショー・システムの電気的構成を示すブロック図である。
【図２】スライドショー・ルール・データベースの一例である。
【図３】スライドショー・ルール取得処理手順を示すフローチャートである。
【図４】スライドショー実行処理手順を示すフローチャートである。
【図５】スライドショー・ルールの一例である。
【図６】（Ａ）〜（Ｅ）は，スライドショーにおいて表示される画像の一例である。
【符号の説明】
【００５１】
１  ルール・サーバ
２  スライドショー・ルール・データベース
３，12  制御装置
４，11  通信回路
10  クライアント・コンピュータ（音楽再生装置）
15  表示装置
18  プログラムＣＤ
19  音楽ＣＤ
【図１】
2006277852.tif 000003
【図２】
2006277852.tif 000004
【図３】
2006277852.tif 000005
【図４】
2006277852.tif 000006
【図５】
2006277852.tif 000007
【図６】
2006277852.tif 000008